(57)【特許請求の範囲】
【請求項１】
画像形成装置が実行する処理機能を設定するための情報処理装置により実行される処理機能設定方法であって、
画像データの所定のページに関係付けられた文書アイコンを、操作画面上に表示する第１の表示ステップと、
前記ページに適用され得る処理機能に関係付けられた適用アイコンを、前記操作画面上に表示する第２の表示ステップと、
前記適用アイコンの指定を受けた場合、当該指定を受けた適用アイコンに関係付けられた処理機能を選択する第１の選択ステップと、
前記文書アイコンの指定を受けた場合、当該指定を受けた文書アイコンに関係付けられたページを選択する第２の選択ステップと、
前記第１の選択ステップで選択された処理機能を、前記第２の選択ステップで選択されたページに適用する第１の適用ステップと、
前記ページへの適用を解除され得る処理機能に関係付けられた解除アイコンを、前記操作画面上に表示する第３の表示ステップと、
前記解除アイコンの指定を受けた場合、当該指定を受けた解除アイコンに関係付けられた処理機能を選択する第３の選択ステップと、
前記第２の選択ステップで選択されたページから、前記第３の選択ステップで選択された処理機能の適用を解除する解除ステップと、
を有し、
前記第３の表示ステップにおいて、前記適用アイコンの指定を前記第１の選択ステップと異なる方法で受けた場合、当該指定を受けた適用アイコンに関係付けられた処理機能の前記ページへの適用を解除するための解除アイコンが表示されることを特徴とする処理機能設定方法。
【請求項２】
前記画像データのページの数は、複数であり、
前記第１の表示ステップにおいて、前記画像データのそれぞれのページに関係付けられた文書アイコンが存在するように、複数の文書アイコンが操作画面上に表示され、
前記第２の選択ステップにおいて、前記複数の文書アイコンのうち、いずれかの文書アイコンの指定を受けた場合、当該指定を受けた文書アイコンに関係付けられたページを選択することを特徴とする請求項１に記載の処理機能設定方法。
【請求項３】
前記第１の適用ステップにおける処理機能の適用は、前記第１の選択ステップで、カーソルが前記適用アイコンに重なった状態で入力装置のボタンが押されることによって、前記適用アイコンの指定を受け、前記第２の選択ステップで、前記入力装置のボタンが押されたままの状態でカーソルが移動して、前記文書アイコン上にカーソルが存在する状態で、前記入力装置のボタンが離されることによって、前記文書アイコンの指定を受けた場合に、実行されることを特徴とする請求項１又は２に記載の処理機能設定方法。
【請求項４】
前記文書アイコンは、当該文書アイコンに関係付けられたページ上の画像に対応するサムネイル画像を表示することを特徴とする請求項１〜３のいずれか１つに記載の処理機能設定方法。
【請求項５】
前記文書アイコンに関係付けられたページの数は、１であることを特徴とする請求項１〜４のいずれか１つに記載の処理機能設定方法。
【請求項６】
前記文書アイコンに関係付けられたページの数は、利用者によって設定されることを特徴とする請求項１〜４のいずれか１つに記載の処理機能設定方法。
【請求項７】
前記文書アイコンに関係付けられたページの数は、複数であることを特徴とする請求項１〜４のいずれか１つに記載の処理機能設定方法。
【請求項８】
前記操作画面上における所定の位置の指定を受けた場合、前記第２の選択ステップで選択されたページのいずれかに関係付けられた分割アイコンを、前記操作画面上に表示する第４の表示ステップと、
前記分割アイコンの指定を受けた場合、当該指定を受けた分割アイコンに関係付けられたページを選択する第４の選択ステップと、
前記第１の選択ステップで選択された処理機能を、前記第４の選択ステップで選択されたページに適用する第２の適用ステップと、
をさらに有することを特徴とする請求項７に記載の処理機能設定方法。
【請求項９】
前記第４の表示ステップにおいて、前記第２の選択ステップで選択されたページのそれぞれに関係付けられた分割アイコンが存在するように、複数の分割アイコンが操作画面上に表示され、
前記第４の選択ステップにおいて、前記複数の分割アイコンのうち、いずれかの分割アイコンの指定を受けた場合、当該指定を受けた分割アイコンに関係付けられたページを選択することを特徴とする請求項８に記載の処理機能設定方法。
【請求項１０】
前記第２の適用ステップにおける処理機能の適用は、前記第１の選択ステップで、カーソルが、前記適用アイコンに重なった状態で入力装置のボタンが押されることによって、前記適用アイコンの指定を受け、前記第４の選択ステップで、前記入力装置のボタンが押されたままの状態でカーソルが移動して、前記分割アイコン上にカーソルが存在する状態で、前記入力装置のボタンが離されることによって前記分割アイコンの指定を受けた場合に、実行されることを特徴とする請求項８又は９に記載の処理機能設定方法。
【請求項１１】
前記分割アイコンは、当該分割アイコンに関係付けられたページ上の画像に対応するサムネイル画像を表示することを特徴とする請求項８〜１０のいずれか１つに記載の処理機能設定方法。
【請求項１２】
前記分割アイコンに関係付けられたページの数は、１であることを特徴とする請求項８〜１１のいずれか１つに記載の処理機能設定方法。
【請求項１３】
前記第１の選択ステップにおける前記適用アイコンの指定は、カーソルが前記適用アイコン上に存在する状態で、入力装置のボタンが１回押されることによってなされ、
前記第３の表示ステップにおける前記適用アイコンの指定は、カーソルが前記適用アイコン上に存在する状態で、所定の時間内に、さらに入力装置のボタンが１回押されることによってなされることを特徴とする請求項１〜１２のいずれか１つに記載の処理機能設定方法。
【請求項１４】
画像形成装置が実行する処理機能を設定するための情報処理装置であって、
画像データの所定のページに関係付けられた文書アイコンを、操作画面上に表示する第１の表示手段と、
前記ページに適用され得る処理機能に関係付けられた適用アイコンを、前記操作画面上に表示する第２の表示手段と、
前記適用アイコンの指定を受けた場合、当該指定された適用アイコンに関係付けられた処理機能を選択する第１の選択手段と、
前記文書アイコンの指定を受けた場合、当該指定を受けた文書アイコンに関係付けられたページを選択する第２の選択手段と、
前記第１の選択手段により選択された処理機能を、前記第２の選択手段により選択されたページに適用する第１の適用手段と、
前記ページへの適用を解除され得る処理機能に関係付けられた解除アイコンを、前記操作画面上に表示する第３の表示手段と、
前記解除アイコンの指定を受けた場合、当該指定を受けた解除アイコンに関係付けられた処理機能を選択する第３の選択手段と、
前記第２の選択手段により選択されたページから、前記第３の選択手段により選択された処理機能の適用を解除する解除手段と、
を有し、
前記第３の表示手段は、前記適用アイコンの指定を前記第１の選択手段と異なる方法で受けた場合、当該指定を受けた適用アイコンに関係付けられた処理機能の前記ページへの適用を解除するための解除アイコンを表示することを特徴とする情報処理装置。
【請求項１５】
前記第１の選択手段における前記適用アイコンの指定は、カーソルが前記適用アイコン上に存在する状態で、入力装置のボタンが１回押されることによってなされ、
前記第３の表示手段における前記適用アイコンの指定は、カーソルが前記適用アイコン上に存在する状態で、所定の時間内に、さらに入力装置のボタンが１回押されることによってなされることを特徴とする請求項１４に記載の情報処理装置。
【請求項１６】
画像形成装置を制御する制御プログラムであって、
画像データの所定のページに関係付けられた文書アイコンを、操作画面上に表示する第１の表示手順と、
前記ページに適用され得る処理機能に関係付けられた適用アイコンを、前記操作画面上に表示する第２の表示手順と、
前記適用アイコンの指定を受けた場合、当該指定された適用アイコンに関係付けられた処理機能を選択する第１の選択手順と、
前記文書アイコンの指定を受けた場合、当該指定を受けた文書アイコンに関係付けられたページを選択する第２の選択手順と、
前記第１の選択手順で選択された処理機能を、前記第２の選択手順で選択されたページに適用する第１の適用手順と、
前記ページへの適用を解除され得る処理機能に関係付けられた解除アイコンを、前記操作画面上に表示する第３の表示手順と、
前記解除アイコンの指定を受けた場合、当該指定を受けた解除アイコンに関係付けられた処理機能を選択する第３の選択手順と、
前記第２の選択手順で選択されたページから、前記第３の選択手順で選択された処理機能の適用を解除する解除手順と、をコンピュータに実行させ、
前記第３の表示手順において、前記適用アイコンの指定を前記第１の選択手順と異なる方法で受けた場合、当該指定を受けた適用アイコンに関係付けられた処理機能の前記ページへの適用を解除するための解除アイコンが表示されることを特徴とする制御プログラム。
【請求項１７】
前記第１の選択手順における前記適用アイコンの指定は、カーソルが前記適用アイコン上に存在する状態で、入力装置のボタンが１回押されることによってなされ、
前記第３の表示手順における前記適用アイコンの指定は、カーソルが前記適用アイコン上に存在する状態で、所定の時間内に、さらに入力装置のボタンが１回押されることによってなされることを特徴とする請求項１６に記載の制御プログラム。
【請求項１８】
請求項１６又は１７に記載の制御プログラムを記録したコンピュータ読み取り可能な記録媒体。
【発明の詳細な説明】
【技術分野】
【０００１】
本発明は、処理機能設定方法、情報処理装置、ならびに画像形成装置を制御する制御プログラムおよび制御プログラムを記録したコンピュータ読み取り可能な記録媒体に関するものである。特に、プリンタドライバに関する。
【背景技術】
【０００２】
プリンタ、複写機、複合機、およびＭＦＰ（多機能周辺機器：Ｍｕｌｔｉ−Ｆｕｎｃｔｉｏｎ  Ｐｅｒｉｐｈｅｒａｌ）などの画像形成装置は、印刷機能および後処理機能を含む各種の処理機能を有する。利用者は、プリンタドライバと呼ばれる制御プログラムを用いて、パンチ孔やステープル等の処理機能を、印刷処理される画像データの所定のページに適用することができる。
【０００３】
一般的なプリンタドライバでは、処理機能を適用するページの選択は、利用者が入力したテキストに基づき実行されていた。そして、このテキストの入力欄は、プリンタドライバの起動に伴い表示されるウィンドウが有する複数のタブのうち、所定のタブが利用者によって指定された場合に、操作画面上に表示されていた。
【０００４】
しかしながら、このタブを利用したプリンタドライバでは、テキストの入力欄とタブとの対応関係を熟知していない利用者にとっては、テキストの入力欄を表示させるために、いずれのタブを指定すればよいかが分からず、手間や時間を要するといった問題が生じる。
【０００５】
さらに、テキストの入力は、キーボードの操作に慣れていない利用者にとっては困難であり、また、誤入力の問題を生じさせる。
【発明の開示】
【発明が解決しようとする課題】
【０００６】
本発明は、以上の問題点を解決するためになされたものである。本発明の目的は、処理機能を適用するページの選択に要する作業を容易かつ確実に実行することができる処理機能設定方法、情報処理装置、ならびに画像形成装置を制御する制御プログラムを提供することを目的とする。
【課題を解決するための手段】
【０００７】
本発明の上記目的は、下記の手段によって達成される。
【０００８】
（１）画像形成装置が実行する処理機能を設定するための情報処理装置により実行される処理機能設定方法であって、画像データの所定のページに関係付けられた文書アイコンを、操作画面上に表示する第１の表示ステップと、前記ページに適用され得る処理機能に関係付けられた適用アイコンを、前記操作画面上に表示する第２の表示ステップと、前記適用アイコンの指定を受けた場合、当該指定を受けた適用アイコンに関係付けられた処理機能を選択する第１の選択ステップと、前記文書アイコンの指定を受けた場合、当該指定を受けた文書アイコンに関係付けられたページを選択する第２の選択ステップと、前記第１の選択ステップで選択された処理機能を、前記第２の選択ステップで選択されたページに適用する第１の適用ステップと、前記ページへの適用を解除され得る処理機能に関係付けられた解除アイコンを、前記操作画面上に表示する第３の表示ステップと、前記解除アイコンの指定を受けた場合、当該指定を受けた解除アイコンに関係付けられた処理機能を選択する第３の選択ステップと、前記第２の選択ステップで選択されたページから、前記第３の選択ステップで選択された処理機能の適用を解除する解除ステップと、を有し、前記第３の表示ステップにおいて、前記適用アイコンの指定を前記第１の選択ステップと異なる方法で受けた場合、当該指定を受けた適用アイコンに関係付けられた処理機能の前記ページへの適用を解除するための解除アイコンが表示されることを特徴とする処理機能設定方法。
【０００９】
（２）前記画像データのページの数は、複数であり、前記第１の表示ステップにおいて、前記画像データのそれぞれのページに関係付けられた文書アイコンが存在するように、複数の文書アイコンが操作画面上に表示され、前記第２の選択ステップにおいて、前記複数の文書アイコンのうち、いずれかの文書アイコンの指定を受けた場合、当該指定を受けた文書アイコンに関係付けられたページを選択することを特徴とする（１）に記載の処理機能設定方法。
【００１０】
（３）前記第１の適用ステップにおける処理機能の適用は、前記第１の選択ステップで、カーソルが前記適用アイコンに重なった状態で入力装置のボタンが押されることによって、前記適用アイコンの指定を受け、前記第２の選択ステップで、前記入力装置のボタンが押されたままの状態でカーソルが移動して、前記文書アイコン上にカーソルが存在する状態で、前記入力装置のボタンが離されることによって、前記文書アイコンの指定を受けた場合に、実行されることを特徴とする（１）又は（２）に記載の処理機能設定方法。
【００１１】
（４）前記文書アイコンは、当該文書アイコンに関係付けられたページ上の画像に対応するサムネイル画像を表示することを特徴とする（１）〜（３）のいずれか１つに記載の処理機能設定方法。
【００１２】
（５）前記文書アイコンに関係付けられたページの数は、１であることを特徴とする（１）〜（４）のいずれか１つに記載の処理機能設定方法。
【００１３】
（６）前記文書アイコンに関係付けられたページの数は、利用者によって設定されることを特徴とする（１）〜（４）のいずれか１つに記載の処理機能設定方法。
【００１４】
（７）前記文書アイコンに関係付けられたページの数は、複数であることを特徴とする（１）〜（４）のいずれか１つに記載の処理機能設定方法。
【００１５】
（８）前記操作画面上における所定の位置の指定を受けた場合、前記第２の選択ステップで選択されたページのいずれかに関係付けられた分割アイコンを、前記操作画面上に表示する第４の表示ステップと、前記分割アイコンの指定を受けた場合、当該指定を受けた分割アイコンに関係付けられたページを選択する第４の選択ステップと、前記第１の選択ステップで選択された処理機能を、前記第４の選択ステップで選択されたページに適用する第２の適用ステップとをさらに有することを特徴とする（７）に記載の処理機能設定方法。
【００１６】
（９）前記第４の表示ステップにおいて、前記第２の選択ステップで選択されたページのそれぞれに関係付けられた分割アイコンが存在するように、複数の分割アイコンが操作画面上に表示され、前記第４の選択ステップにおいて、前記複数の分割アイコンのうち、いずれかの分割アイコンの指定を受けた場合、当該指定を受けた分割アイコンに関係付けられたページを選択することを特徴とする（８）に記載の処理機能設定方法。
【００１７】
（１０）前記第２の適用ステップにおける処理機能の適用は、前記第１の選択ステップで、カーソルが、前記適用アイコンに重なった状態で入力装置のボタンが押されることによって、前記適用アイコンの指定を受け、前記第４の選択ステップで、前記入力装置のボタンが押されたままの状態でカーソルが移動して、前記分割アイコン上にカーソルが存在する状態で、前記入力装置のボタンが離されることによって前記分割アイコンの指定を受けた場合に、実行されることを特徴とする（８）又は（９）に記載の処理機能設定方法。
【００１８】
（１１）前記分割アイコンは、当該分割アイコンに関係付けられたページ上の画像に対応するサムネイル画像を表示することを特徴とする（８）〜（１０）のいずれか１つに記載の処理機能設定御方法。
【００１９】
（１２）前記分割アイコンに関係付けられたページの数は、１であることを特徴とする
（８）〜（１１）のいずれか１つに記載の処理機能設定方法。
【００２２】
（１３）前記第１の選択ステップにおける前記適用アイコンの指定は、カーソルが前記適用アイコン上に存在する状態で、入力装置のボタンが１回押されることによってなされ、前記第３の表示ステップにおける前記適用アイコンの指定は、カーソルが前記適用アイコン上に存在する状態で、所定の時間内に、さらに入力装置のボタンが１回押されることによってなされることを特徴とする（１）〜（１２）のいずれか１つに記載の処理機能設定方法。
【００２３】
（１４）画像形成装置が実行する処理機能を設定するための情報処理装置であって、画像データの所定のページに関係付けられた文書アイコンを、操作画面上に表示する第１の表示手段と、前記ページに適用され得る処理機能に関係付けられた適用アイコンを、前記操作画面上に表示する第２の表示手段と、前記適用アイコンの指定を受けた場合、当該指定された適用アイコンに関係付けられた処理機能を選択する第１の選択手段と、前記文書アイコンの指定を受けた場合、当該指定を受けた文書アイコンに関係付けられたページを選択する第２の選択手段と、前記第１の選択手段により選択された処理機能を、前記第２の選択手段により選択されたページに適用する第１の適用手段と、前記ページへの適用を解除され得る処理機能に関係付けられた解除アイコンを、前記操作画面上に表示する第３の表示手段と、前記解除アイコンの指定を受けた場合、当該指定を受けた解除アイコンに関係付けられた処理機能を選択する第３の選択手段と、前記第２の選択手段により選択されたページから、前記第３の選択手段により選択された処理機能の適用を解除する解除手段とを有し、前記第３の表示手段は、前記適用アイコンの指定を前記第１の選択手段と異なる方法で受けた場合、当該指定を受けた適用アイコンに関係付けられた処理機能の前記ページへの適用を解除するための解除アイコンを表示することを特徴とする情報処理装置。
（１５）前記第１の選択手段における前記適用アイコンの指定は、カーソルが前記適用アイコン上に存在する状態で、入力装置のボタンが１回押されることによってなされ、前記第３の表示手段における前記適用アイコンの指定は、カーソルが前記適用アイコン上に存在する状態で、所定の時間内に、さらに入力装置のボタンが１回押されることによってなされることを特徴とする（１４）に記載の情報処理装置。
【００２４】
（１６）画像形成装置を制御する制御プログラムであって、画像データの所定のページに関係付けられた文書アイコンを、操作画面上に表示する第１の表示手順と、前記ページに適用され得る処理機能に関係付けられた適用アイコンを、前記操作画面上に表示する第２の表示手順と、前記適用アイコンの指定を受けた場合、当該指定された適用アイコンに関係付けられた処理機能を選択する第１の選択手順と、前記文書アイコンの指定を受けた場合、当該指定を受けた文書アイコンに関係付けられたページを選択する第２の選択手順と、前記第１の選択手順で選択された処理機能を、前記第２の選択手順で選択されたページに適用する第１の適用手順と、前記ページへの適用を解除され得る処理機能に関係付けられた解除アイコンを、前記操作画面上に表示する第３の表示手順と、前記解除アイコンの指定を受けた場合、当該指定を受けた解除アイコンに関係付けられた処理機能を選択する第３の選択手順と、前記第２の選択手順で選択されたページから、前記第３の選択手順で選択された処理機能の適用を解除する解除手順と、をコンピュータに実行させ、前記第３の表示手順において、前記適用アイコンの指定を前記第１の選択手順と異なる方法で受けた場合、当該指定を受けた適用アイコンに関係付けられた処理機能の前記ページへの適用を解除するための解除アイコンが表示されることを特徴とする制御プログラム。
（１７）前記第１の選択手順における前記適用アイコンの指定は、カーソルが前記適用アイコン上に存在する状態で、入力装置のボタンが１回押されることによってなされ、前記第３の表示手順における前記適用アイコンの指定は、カーソルが前記適用アイコン上に存在する状態で、所定の時間内に、さらに入力装置のボタンが１回押されることによってなされることを特徴とする（１６）に記載の制御プログラム。
【００２５】
（１８）（１６）又は（１７）に記載の制御プログラムを記録したコンピュータ読み取り可能な記録媒体。
【発明の効果】
【００２６】
本発明によれば、視覚的に認識可能な文書アイコンが指定されることによって、処理機能を適用するページの選択が実行される。これにより、処理機能を適用するページの選択に要する作業を、時間や手間を要せず容易に実行することができる。また、テキスト入力の必要がないため誤入力の問題が生ぜず、処理機能を適用するページの選択に要する作業を、確実に実行することができる。
【発明を実施するための最良の形態】
【００２７】
図１は、本発明の実施形態にかかる画像処理システムの全体構成を示すブロック図である。
【００２８】
本発明の実施形態にかかる画像処理システムは、印刷ジョブ送信装置としてのコンピュータ端末（以下、「ＰＣ」と称する）１と、画像形成装置としてのプリンタ２とを備える。ＰＣ１とプリンタ２とは、ネットワーク３を介して相互に通信可能に接続されている。ネットワーク３は、たとえば、イーサネット（登録商標）、トークンリング、およびＦＤＤＩ等の規格によりコンピュータやネットワーク機器同士を接続したＬＡＮ、またはＬＡＮ同士を専用線で接続したＷＡＮ等の各種のネットワークからなる。
【００２９】
なお、ネットワーク３に接続される機器の種類および台数は、図１に示される例に限定されない。また、ＰＣ１とプリンタ２とは、ネットワーク３を介することなく、直接的に機器間で接続（ローカル接続）されてもよい。
【００３０】
本実施形態では、プリンタ２を制御するための制御プログラムとして、プリンタドライバがＰＣ１にインストールされている。具体的には、プリンタドライバは、プリンタ２が解釈可能な言語で記述されたプリントデータへと文書ファイルを変換するための制御プログラムである。また、プリンタドライバは、プリンタ２による処理機能を選択し、その処理機能が適用される用紙上の位置を決定するためにも用いられる。なお、プリンタ２による処理機能には、大別して、印刷機能と、印刷後の後処理機能とが含まれる。また、各印刷ジョブ毎に、適用される処理機能を選択することができる。
【００３１】
図２は、図１に示すＰＣ１の構成を示すブロック図である。
【００３２】
ＰＣ１は、ＣＰＵ（ｃｅｎｔｒａｌ  ｐｒｏｃｅｓｓｉｎｇ  ｕｎｉｔ）１１、ＲＯＭ（ｒｅａｄ  ｏｎｌｙ  ｍｅｍｏｒｙ）１２、ＲＡＭ（ｒａｎｄｏｍ  ａｃｃｅｓｓ  ｍｅｍｏｒｙ）１３、ハードディスク１４、ディスプレイ１５、入力装置１６、およびネットワークインタフェース１７を備えている。これらの各部１１〜１７は、信号をやり取りするためのバス１８を介して相互に接続されている。
【００３３】
ＣＰＵ１１は、プログラムにしたがって、上記各部１２〜１７の制御および各種の演算処理を実行する。ＲＯＭ１２は、各種プログラムおよび各種データを格納する。ＲＡＭ１３は、作業領域として一時的にプログラムおよびデータを記憶する。ハードディスク１４は、オペレーティングシステムを含む各種プログラムおよび各種データを格納する。この
ハードディスク１４には、たとえば、文書ファイルを作成するためのアプリケーションと、上述したプリンタドライバとがインストールされる。
【００３４】
ディスプレイ１５は、各種の情報を表示する。特に、ディスプレイ１５は、プリンタ２による処理機能を印刷ジョブ毎に選択するための操作画面を表示する。
【００３５】
入力装置１６は、ポインティングデバイスおよびキーボードであり、各種の入力を行うために使用される。本実施の形態では、後述するように、ポインティングデバイスによるドラッグ＆ドロップと呼ばれる操作法を用いて処理がなされるため、特に、ポインティングデバイスが重要な役割を担う。ここで、「ドラッグ＆ドロップ」とは、操作画面上で、カーソル（マウスカーソルなど）がアイコンなどのシンボルに重なった状態で入力装置１６のボタンを押し、ボタンを押したままの状態でカーソルを移動（ドラッグ）させ、別の場所でマウスのボタンを離す（ドロップ）といった操作法である。本実施の形態では、ポインティングデバイスとして、マウスが用いられる。しかしながら、本実施形態と異なり、ポインティングデバイスとして、トラックボール、トラックパッド、タブレット、およびスタイラスペンなどの各種デバイスを用いることもできる。
【００３６】
ネットワークインタフェース１７は、ネットワーク３を介して他の機器と通信するためのインタフェースであり、イーサネット（登録商標）、トークンリング、またはＦＤＤＩ等の規格が用いられる。
【００３７】
図３は、図１に示すプリンタ２の構成を示すブロック図である。
【００３８】
プリンタ２は、プリンタ本体２０と、後処理装置（フィニッシャー）３０とを含む。
【００３９】
プリンタ本体２０は、ＣＰＵ２１、ＲＯＭ２２、ＲＡＭ２３、ハードディスク２４、操作パネル部２５、印刷部２６、およびネットワークインタフェース２７を含み、これら各部は信号をやり取りするためのバス２８を介して相互に接続されている。また、後処理装置３０は、ステープル処理部３１、パンチ孔処理部３２、および紙折り加工部３３を含む。なお、プリンタ２の上記各部のうち、ＰＣ１の上記各部と同様の機能を有する部分については、説明の重複を避けるため、その説明を省略する。
【００４０】
操作パネル部２５は、タッチパネル、テンキー、スタートボタン、およびストップボタン等の要素を備えており、各種情報の表示および各種指示の入力に使用される。印刷部２６は、電子写真式プロセス等の周知の作像プロセスを用いて、各種データを用紙などの記録材上に印刷する。
【００４１】
後処理装置３０におけるステープル処理部３１は、用紙をステープル留めする。パンチ孔処理部３２は、用紙にパンチ孔を開ける。紙折り加工部３３は、用紙に折り加工を施す。
【００４２】
なお、ＰＣ１およびプリンタ２は、それぞれ、上記の構成要素以外の構成要素を含んでいてもよく、あるいは、上述した構成要素のうちの一部が含まれていなくてもよい。
【００４３】
次に、本実施形態で印刷が指示される画像データについて述べる。
【００４４】
本実施形態では、複数のファイルから構成される画像データに対して印刷が指示される。各ファイルは、ワープロなどのアプリケーションによって作成されて、ハードディスク１４に保存されたものであり、それぞれ単数又は複数のページからなり得る。そして、各ファイルは、利用者によるディレクトリ操作によって指定されるものである。
【００４５】
次に、画像データを構成する各ファイルが利用者によって指定された状態で、ＰＣ１で実行される処理について説明する。
【００４６】
図４は、本実施形態におけるＰＣ１による処理手順を示すフローチャートであり、具体的には、プリンタ２を制御するための制御方法を示すフローチャートである。なお、図４のフローチャートにより示されるアルゴリズムは、ＰＣ１のハードディスク１４などの記憶部にプログラムとして記憶されており、ＣＰＵ１１によって実行される。
【００４７】
まず、ＰＣ１は、利用者の操作に基づく印刷の指示があったか否かを判断する（ステップＳ１０１でＮＯ）。具体的には、所定のウィンドウ上で、画像データを構成するファイルの指定がなされ、さらにファイルの指定の完了が指示されたか否かが判断される。
【００４８】
印刷の指示があったと判断された場合（ステップＳ１０１でＹＥＳ）、ディスプレイ１５の操作画面上に、文書アイコン４１、適用アイコン４２、ワークエリア４３が表示される（ステップＳ１０２、ステップＳ１０３、ステップＳ１０４）。
【００４９】
図１２は、文書アイコン４１等が表示された操作画面の一例を示す。
【００５０】
図１２において、操作画面上には、文書アイコン４１ａ〜ｃ（以下、文書アイコン４１と総称する場合がある）、適用アイコン４２ａ〜ｆ（以下、適用アイコン４２と総称する場合がある）、ワークエリア４３等が表示されている。
【００５１】
文書アイコン４１ａ〜ｃのそれぞれは、利用者によって指定された、画像データを構成する各ファイルに関係付けられたものであり、図において文書アイコン４１上に示されている文字は、文書アイコン４１に関係付けられたファイルが対応する画像データのページの値である。すなわち、図は、利用者によって各ファイルが指定された結果、１０ページからなる画像データが構成された場合を示しており、文書アイコン４１ａに関係付けられたファイルは、画像データの１ページ目に対応し、文書アイコン４１ｂに関係付けられたファイルは、画像データの２〜４ページ目に対応し、文書アイコン４１ｃに関係付けられたファイルは、画像データの１０ページ目に対応する。
【００５２】
また、本実施形態において、操作画面上における文書アイコン４１ａ〜ｃの配置は、文書アイコン４１ａ〜ｃのそれぞれが関係付けられた各ファイルに関する印刷処理の実行順序を定めるものであり、操作画面の上方に位置する文書アイコン４１に関係付けられたファイルほど、優先的に印刷処理が実行される。すなわち、はじめに、文書アイコン４１ａに関係付けられたファイルに関する印刷処理が実行され、次に、文書アイコン４１ｂに関係付けられたファイルに関する印刷処理が実行され、最後に、文書アイコン４１ｃに関係付けられたファイルに関する印刷処理が実行される。なお、この印刷処理は、後述する印刷実行の指示が、ＰＣ１になされた場合に実行される。
【００５３】
以上より明らかなように、本実施形態では、文書アイコン４１のそれぞれは、画像データの所定のページに関係付けられており、各文書アイコン４１に関係付けられる画像データのページの数は、１又は複数であり得る。また、操作画面上には、画像データのそれぞれのページに関係付けられた文書アイコン４１が表示されている。
【００５４】
また、文書アイコン４１は、当該文書アイコン４１に関係付けられたページ上の画像に対応するサムネイル画像を表示する。また、文書アイコン４１は、このサムネイル画像に代えて、あるいはサムネイル画像とともに、図１２に示した文書アイコン４１が関係付けられている画像データのページの値を表示するものであってもよい。
【００５５】
適用アイコン４２は、画像データの各ページに適用され得る処理機能に関係付けられている。まず、適用アイコン４２ａは、ステープル留め処理機能に関係づけられている。適用アイコン４２ｂは、用紙に対してパンチ孔を開けるパンチ孔処理機能に関係付けられている。適用アイコン４２ｃおよび４２ｄは、それぞれＺ折りおよび中折りと呼ばれる紙折り処理機能に関係付けられている。ここで、Ｚ折りは、一の方向に用紙を折り、さらに反対方向に折り返す紙折り処理機能である。中折りは、用紙の中央部で折る紙折り処理機能である。
【００５６】
適用アイコン４２ｅは、紙挿入機能に関係付けられている。紙挿入機能は、所定の連続する頁の用紙間に、サイズ、向き、または色などの異なる挿入紙を挿入する処理機能である。適用アイコン４２ｆは、ウォーターマーク印刷処理機能である。ウォーターマーク印刷処理機能は、印刷指示された画像とともに、「社外秘」、「秘」、「ドラフト」、および「ｃｏｎｆｉｄｅｎｔｉａｌ」などの付加画像を同時に印刷する処理機能である。なお、適用アイコン４２ｆを押すことで、「社外秘」、「秘」、「ドラフト」、および「ｃｏｎｆｉｄｅｎｔｉａｌ」などの各付加画像のウォーターマーク印刷処理機能に対応した各アイコンが表示されるように構成することもできる。
【００５７】
なお、上述したステープル留め等は、プリンタ２から排出される用紙に施されるものであるが、本実施形態における「処理機能の適用」とは、実際にステープル留め等が用紙に施されることを意味するものではなく、プリンタ２へステープル留め等を用紙に施すように指示するための情報を、ハードディスク１４に記憶することを意味する。
【００５８】
また、ワークエリア４３は、文書アイコン４１ｂのように、画像データの複数のページに関係付けられた文書アイコン４１が操作画面上に表示されている場合に、当該複数のページのそれぞれに関係付けられた分割アイコンを表示させるための領域である。ワークエリア４３内には、設定完了ボタン４３ａ及びキャンセルボタン４３ｂが表示される。設定完了ボタン４３ａは、後述する第１処理機能適用処理における処理内容を確定させるためのボタンであり、キャンセルボタン４３ｂは、当該第１処理機能適用処理を中断させるためのボタンである。
【００５９】
また、操作画面上には、カーソル６１が表示される。カーソル６１は、矢印などの形をした指示部であり、好ましくはマウスカーソルであり、マウスポインタとも呼ばれる。利用者が入力装置１６を操作することで、カーソル６１は、操作画面内を自由に移動する。たとえば入力装置１６がマウスである場合、マウスを前後左右に滑らせることによって、操作画面上のカーソル６１が移動する。
【００６０】
また、操作画面上には、次ページボタン６０が表示される。次ページボタン６０は、文書アイコン４１の数が多く１画面で全ての文書アイコン４１を表示することが出来ないため、複数の画面が使用される場合に、現画面から異なる画面に遷移するために使用されるボタンである。
【００６１】
図４に戻り、ステップＳ１０４に続いて、カーソル６１が、操作画面上に表示された文書アイコン４１のうち、いずれかの文書アイコン４１に重なった状態で、入力装置１６のボタンが押されたか否かが判断される（ステップＳ１０５）。
【００６２】
カーソル６１が、いずれかの文書アイコン４１に重なっている状態で入力装置１６のボタンが押されたと判断された場合には（ステップＳ１０５でＹＥＳ）、分割アイコン表示処理が実行される（ステップＳ１０６）。この分割アイコン表示処理について、図５を用いて説明する。
【００６３】
まず、カーソル６１が重なっている文書アイコン４１に関係付けられたページが選択される（ステップＳ２０１）。このステップＳ２０１の処理は、操作画面上に表示された文書アイコン４１のうち、いずれかの文書アイコン４１の指定を受けて、指定された文書アイコン４１に関係付けられた画像データのページを選択する処理に対応する。
【００６４】
図１３は、カーソル６１が文書アイコン４１に重なった状態の操作画面の一例を示す図である。
【００６５】
図は、カーソル６１が文書アイコン４１ｂに重なった状態を示している。この場合、図５に示すステップＳ２０１において、文書アイコン４１ｂに関係付けられた画像データの２〜４ページが選択される。
【００６６】
ステップＳ２０１に続いて、入力装置１６のボタンが離されたか否かが判断される（ステップＳ２０２）。
【００６７】
ステップＳ２０２でボタンが離されていないと判断された場合には（ステップＳ２０２でＮＯ）、カーソル６１の移動に伴って操作画面上で、ステップＳ１０５でカーソル下に存在する文書アイコン４１を移動させる（ステップＳ２０３）。すなわち、ステップＳ２０３の処理は、カーソル６１により文書アイコン４１をドラッグする処理に対応する。
【００６８】
図１４は、文書アイコン４１ｂがワークエリア４３内にドラッグされた場合の操作画面の一例を示す図である。
【００６９】
図１４は、図１３に示すようにカーソル６１が文書アイコン４１ｂに重なっている状態でボタンが押された後、文書アイコン４１ｂが、ワークエリア４３内にドラッグされた状態を示している。
【００７０】
図５に戻り、ステップＳ２０２で、入力装置１６のボタンが離されたと判断された場合には（ステップＳ２０２でＹＥＳ）、ボタンが離された時点でのカーソル６１の位置がワークエリア４３内にあるか否かが判断される（ステップＳ２０４）。このようにカーソル６１の位置が、所定の領域内にある状態でボタンが離される処理は、ドロップと呼ばれるカーソル操作に対応する。
【００７１】
ステップＳ２０４で、カーソル６１の位置がワークエリア４３内に無いと判断された場合には（ステップＳ２０４でＮＯ）、ステップＳ２０１で実行されたページの選択が解除される（ステップＳ２０５）。
【００７２】
一方、カーソル６１の位置がワークエリア４３内にあると判断された場合には（ステップＳ２０４でＹＥＳ）、ステップＳ２０１で選択されたページの数は、複数であるか否かが判断される（ステップＳ２０６）。例えば、ステップＳ２０１で、文書アイコン４１ｂに関係付けられたページが選択されていた場合には、文書アイコン４１ｂは画像データの２〜４ページに関係付けられているため、ステップＳ２０６で選択されたページの数は複数であると判断される。
【００７３】
ステップＳ２０６で選択されたページの数が複数ではないと判断された場合（ステップＳ２０６でＮＯ）、ステップＳ２０１で実行されたページの選択が解除される（ステップＳ２０５）。
【００７４】
一方、ステップＳ２０６で選択されたページの数が複数であると判断された場合（ステップＳ２０６でＹＥＳ）、ステップＳ２０１で選択された各ページに関係付けられた複数の分割アイコンがワークエリア４３内に表示される（ステップＳ２０７）。
【００７５】
図１５は、分割アイコンがワークエリア４３内に表示された場合の操作画面の一例を示す図である。
【００７６】
図１５は、図１４に示す文書アイコン４１ｂがワークエリア４３内にドラッグされた後の状態を示すものであり、文書アイコン４１ｂが画像データの２〜４ページに関係付けられていることから、ワークエリア４３内には、画像データの２ページ目に関係付けられた分割アイコン４６ａ、画像データの３ページ目に関係付けられた分割アイコン４６ｂ、画像データの４ページ目に関係付けられた分割アイコン４６ｃが表示されている。なお、以下では、分割アイコンについて分割アイコン４６と適宜、総称する。
【００７７】
本実施形態において、分割アイコン４６は、文書アイコン４１と同様に、当該分割アイコン４６に関係付けられたページ上に記された画像に対応するサムネイル画像を表示する。また、分割アイコン４６は、このサムネイル画像に代えて、あるいはサムネイル画像とともに、図１２に示した文書アイコン４１が関係付けられている画像データのページの値を表示するものであってもよい。
【００７８】
また、以下の説明において、分割アイコン４６ａ〜ｃに対する文書アイコン４１ｂのように、ワークエリア４３内の分割アイコン４６のそれぞれに関係付けられたページの全てに関係付けられていた文書アイコン４１を、分割元の文書アイコン４１と述べる。
【００７９】
図４に戻り、ステップＳ１０６の分割アイコン表示処理が終了すると、第１処理機能適用処理が実行される（ステップＳ１０７）。第１処理機能適用処理は、分割アイコン４６に関係付けられたページに、ステープルなどの処理機能を適用するための処理である。この第１処理機能適用処理について、図６を用いて説明する。
【００８０】
はじめに、操作画面上に表示された適用アイコン４２のうち、いずれかの適用アイコン４２上にカーソル６１がある状態でボタンが押されたか否かが判断される（ステップＳ３０１）。
【００８１】
いずれかの適用アイコン４２上にカーソル６１がある状態でボタンが押されたと判断された場合には（ステップＳ３０１でＹＥＳ）、カーソル６１下に存在する適用アイコン４２に関係付けられた処理機能が選択される（ステップＳ３０２）。
【００８２】
図１６は、カーソル６１が適用アイコン４２に重なった状態の操作画面の一例を示す図である。
【００８３】
図１６は、カーソル６１が適用アイコン４２ａに重なった状態を示しており、この場合、図６に示すステップＳ３０２において、適用アイコン４２ａに関係付けられたステープル処理機能が選択される。
【００８４】
図６に戻り、ステップＳ３０２に続いて、入力装置のボタンが離されたか否かが判断される（ステップＳ３０３）。なお、ステップＳ３０１で、カーソル６１がいずれかの適用アイコン４２上にある状態でボタンが押されていないと判断された場合（ステップＳ３０１でＮＯ）については後述する。
【００８５】
ボタンが離されていないと判断された場合には（ステップＳ３０３でＮＯ）、カーソル６１の移動に伴って、操作画面上で適用アイコン４２を移動させる（ステップＳ３０４）。このステップＳ３０４の処理は、カーソル６１により適用アイコン４２をドラッグする処理に対応し、ボタンが離される処理は、上述したドロップと呼ばれるカーソル操作に対応する。
【００８６】
図１７は、適用アイコン４２ａがドラッグされた場合の操作画面の一例を示す図である。
【００８７】
図１７は、図１６に示すようにカーソル６１が適用アイコン４２ａに重なっている状態でボタンが押された後、適用アイコン４２ａがドラッグされた状態を示している。
【００８８】
図６に戻り、ステップＳ３０３で、入力装置１６のボタンが離されたと判断された場合には（ステップＳ３０３でＹＥＳ）、ボタンが離された時点でのカーソル６１の位置が、ワークエリア４３内に表示された分割アイコン４６のうち、いずれかの分割アイコン４６上にあるか否かが判断される（ステップ３０５）。
【００８９】
カーソル６１の位置が、いずれかの分割アイコン４６上にないと判断された場合（ステップＳ３０５でＮＯ）については後述する。
【００９０】
カーソル６１の位置が、いずれかの分割アイコン４６上にあると判断された場合（ステップＳ３０５でＹＥＳ）、カーソル６１下に存在する分割アイコン４６に関係付けられたページが選択される（ステップＳ３０６）。
【００９１】
次いで、ステップＳ３０２で選択された処理機能が、ステップＳ３０６で選択されたページに適用される（ステップＳ３０７）。具体的には、ＰＣ１は、処理機能と、当該処理機能が適用された画像データのページとの対応を示す処理機能適用テーブルを作成して、ハードディスク１４に保存する。
【００９２】
図１８は、カーソル６１の位置が、ワークエリア４３内の分割アイコン４６上にある場合の操作画面の一例を示す図であり、図１９は、ハードディスク１４に保存された処理機能適用テーブルの一例を示す図である。
【００９３】
図１８は、図１７に示すようにカーソル６１により適用アイコン４２ａがドラッグされた後に、カーソル６１の位置が分割アイコン４６ｂ上にある場合を示している。この場合、図６に示すステップＳ３０７の処理では、分割アイコン４６ｂが関係付けられている画像データの３ページ目に、適用アイコン４２ａが関係付けられているステープル処理が適用される。
【００９４】
また、図１９は、図１８に示すようにカーソル６１の位置が分割アイコン４６ｂ上にある場合に、ハードディスク１４に保存される処理機能適用テーブルを示しており、図に示す処理機能適用テーブルにおいて、ステープル処理が画像データの３ページ目に適用されたことを示す記号「○」が付されている。
【００９５】
図６に戻り、ステップＳ３０７に続いて、キャンセルボタン４３ｂ上にカーソル６１がある状態でボタンが押されたか否かが判断される（ステップＳ３０８）。このステップＳ３０８の処理は、上述したステップＳ３０７に続く場合の他、上記で説明を省略した、ステップＳ３０１でＮＯと判断された場合、ステップＳ３０５でＮＯと判断された場合にも、実行される。
【００９６】
キャンセルボタン４３ｂ上にカーソル６１がある状態でボタンが押されたと判断された場合には（ステップＳ３０８でＹＥＳ）、ステップＳ３０７の処理が実行されたか否かが判断される（ステップＳ３０９）。具体的には、図２０に示す処理機能適用テーブルにおいて記号「○」が付されているか否かが判断される。
【００９７】
ステップＳ３０７の処理が実行されたと判断された場合には（ステップＳ３０９でＹＥＳ）、ステップＳ３０７で実行された処理機能の適用が解除される（ステップＳ３１０）。具体的には、図２０に示す処理機能適用テーブルにおいて付されていた記号「○」が削除されて、記号「○」が削除された処理機能テーブルがハードディスク１４に上書き保存される。
【００９８】
次いで、ワークエリア４３内に表示された分割アイコン４６の全てが削除される（ステップＳ３１１）。
【００９９】
一方、ステップＳ３０９で、ステップＳ３０７の処理が実行されていないと判断された場合には（ステップＳ３０９でＮＯ）、ステップＳ３１０を経由せずに、ステップＳ３１１の処理が実行される。
【０１００】
次に、ステップＳ３０８で、キャンセルボタン４３ｂ上にカーソル６１がある状態でボタンが押されていないと判断された場合には（ステップＳ３０８でＮＯ）。設定完了ボタン４３ａ上にカーソル６１がある状態でボタンが押されたか否かが判断される（ステップＳ３１２）。
【０１０１】
設定完了ボタン４３ａ上にカーソル６１がある状態でボタンが押されたと判断された場合には（ステップＳ３１２でＹＥＳ）、ステップＳ３０５でカーソル６１下に存在する分割アイコン４６の分割元の文書アイコン４１が削除され（ステップＳ３１３）、さらに、当該ステップＳ３０５でカーソル６１下に存在する分割アイコン４６の表示位置が、ワークエリア４３内から分割元の文書アイコン４１が表示されていた位置へと変更される（ステップＳ３１４）。
【０１０２】
図２０は、分割アイコン４６の表示位置が変更された場合の操作画面の一例を示す図である。
【０１０３】
図は、設定完了ボタン４３ａ上にカーソル６１がある状態でボタンが押された後、図１８に示す分割アイコン４６ａ〜ｃの表示位置が、分割元の文書アイコン４１である文書アイコン４１ｂの位置（図１３参照）に変更された状態を示している。
【０１０４】
表示位置が変更された分割アイコン４６ａ〜ｃは、それぞれに関係付けられたページの値が小さい分割アイコン４６ほど、操作画面の上方に位置するように配置されている。すなわち、画像データの４ページ目に関係付けられた分割アイコン４６ｃの上に、画像データの３ページ目に関係付けられた分割アイコン４６ｂが配置され、さらに、当該分割アイコン４６ｂの上に、画像データの１ページ目に関係付けられた分割アイコン４６ａが配置されている。
【０１０５】
図６に戻り、ステップＳ３１２で、設定完了ボタン４３ａ上にカーソル６１がある状態でボタンが押されていないと判断された場合には（ステップＳ３１２でＮＯ）、ステップＳ３０１の処理に戻る。
【０１０６】
ステップＳ３１２でＮＯと判断された後、再び、ステップＳ３０１からの処理が開始された場合には、前回のステップＳ３０１〜３０７の処理で既に処理機能が適用された分割アイコン４６に関係付けられたページに対して、適用済みの処理機能と異なる処理機能を追加的に適用することが出来、また、未だ処理機能が適用されていない分割アイコン４６に関係付けられたページに対して、所定の処理機能を適用することが出来る。すなわち、図６に示す第１処理機能適用処理は、設定完了ボタン４３ａ又はキャンセルボタン４３ｂ上にカーソル６１がある状態でボタンが押されない限り終了せず、ステップＳ３０１〜３０７の処理が繰り返される過程で、ワークエリア４３内に表示された分割アイコン４６に関係付けられたページに対して、処理機能が追加的に適用され得る。また、新たに、処理機能が分割アイコン４６に関係付けられたページに適用されたときには、図１９に示す処理機能適用テーブルの所定の箇所に記号「○」が追加されるとともに、新たな記号「○」が追加された処理機能適用テーブルがハードディスク１４に上書き保存される。
【０１０７】
また、本実施形態において、表示位置が変更された分割アイコン４６は、文書アイコン４１と同一の機能を発揮し得るものである。このため、以下の説明では、表示位置が変更された分割アイコン４６と、文書アイコン４１とを区別せずに説明する。すなわち、以下の説明で、文書アイコン４１と述べるものには、表示位置が変更された分割アイコン４６も含まれる。
【０１０８】
図４に戻り、ステップＳ１０５で、いずれかの文書アイコン４１上にカーソル６１がある状態でボタンが押下されていないと判断された場合（ステップＳ１０５でＮＯ）、また、ステップＳ１０７の第１処理機能適用処理が終了した場合には、操作画面上に表示された適用アイコン４２のうち、いずれかの適用アイコン４２上にカーソル６１がある状態でボタンが押されたか否かが判断される（ステップＳ１０８）。
【０１０９】
カーソル６１がいずれかの適用アイコン４２上にある状態でボタンが押されたと判断された場合には（ステップＳ１０８でＹＥＳ）、第２処理機能適用処理が実行される（ステップＳ１０９）。
【０１１０】
この第２処理機能適用処理について、図７を用いて説明する。
【０１１１】
まず、ステップＳ１０８で、カーソル６１下にある適用アイコン４２に関係付けられた処理機能が選択される（ステップＳ４０１）。
【０１１２】
このステップＳ４０１以降、ステップＳ４０３までの処理は、図６に示すステップＳ３０２からステップＳ３０４までの処理に対応するので、説明は省略する。なお、ステップＳ４０３の処理は、図６に示すステップＳ３０４の処理と同様、カーソル６１により適用アイコン４２をドラッグする処理に対応するものである。
【０１１３】
ステップＳ４０２で、ボタンが離されたと判断された場合には（ステップＳ４０２でＹＥＳ）、カーソル６１の位置が、操作画面上に表示された文書アイコン４１のうち、いずれかの文書アイコン４１上にあるか否かが判断される（ステップＳ４０４）。
【０１１４】
カーソル６１の位置が、いずれかの文書アイコン４１上にないと判断された場合には（ステップＳ４０４でＮＯ）、図７に示す第２処理機能適用処理は終了する。
【０１１５】
一方、カーソル６１の位置が、いずれかの文書アイコン４１上にあると判断された場合には（ステップＳ４０４でＹＥＳ）、ステップＳ４０４でカーソル６１下に存在する文書アイコン４１に関係付けられたページが選択される（ステップＳ４０５）。
【０１１６】
続いて、ステップＳ４０１で選択された処理機能が、ステップＳ４０５で選択されたページに適用される（ステップＳ４０６）。具体的には、図２０に示す処理機能適用テーブルにおいて、ステップＳ４０１で選択された処理機能がステップＳ４０５で選択されたページに適用されたことを示す新たな記号「○」が追加されるとともに、新たな記号「○」が追加された処理機能適用テーブルがハードディスク１４に上書き保存される。
【０１１７】
図２１は、カーソル６１の位置が、文書アイコン４１上にある場合の操作画面の一例を示す図である。
【０１１８】
図は、適用アイコン４２ａがカーソル６１によりドラッグされた後、カーソル６１の位置が文書アイコン４１ａ上にある場合を示している。この場合、図７に示すステップＳ４０６において、適用アイコン４２ａに関係付けられたステープル処理機能が、文書アイコン４１ａが関係付けられている画像データの１ページ目に適用される。
【０１１９】
図７に戻り、ステップＳ４０６に続いて、文書アイコン４１の表示内容が変更される（ステップＳ４０７）。具体的には、文書アイコン４１は、上述したサムネイル画像に加えて、ステップＳ４０１で選択された処理機能が、ステップＳ４０５で選択されたページに適用されたことを示す画像を表示するものに変更される。
【０１２０】
以上で、図７に示す第２処理機能適用処理は終了する。
【０１２１】
図４に戻り、ステップＳ１０８で適用アイコン４２上にカーソル６１がある状態でボタンが押下されていないと判断された場合（ステップＳ１０８でＮＯ）、また、ステップＳ１０９の第２処理機能適用処理が終了した場合には、印刷実行の指示があったか否かが判断される（ステップＳ１１０）。具体的には、図１２に示す印刷ボタン６２が押されたか否かが判断される。
【０１２２】
印刷実行の指示があったと判断された場合には（ステップＳ１１０でＹＥＳ）、印刷処理が実行される（ステップＳ１１１）。この印刷処理について、図８を用いて説明する。
【０１２３】
まず、画像データが、プリンタに送信可能なデータ形式に変更される（ステップＳ５０１）。具体的には、画像データは、ＰＤＬ（Ｐａｇｅ  Ｄｅｓｃｒｉｐｔｉｏｎ  Ｌａｎｇｕａｇｅ）形式のデータに変更される。ＰＤＬ形式に変更された画像データは、印刷出力される印刷データと、処理機能の適用情報を含む設定データとから構成される。
【０１２４】
印刷データはページ単位で区分されたデータであり、このページ単位は、文書アイコン４１に対応するファイルを作成したアプリケーションによって設定される。
【０１２５】
図２２は、設定データの一例を示す図である。
【０１２６】
設定データは、ハードディスク１４に保存された処理機能適用テーブルに基づき作成されるものであり、図２３のＡ部分は、画像データの３−４ページ目にステープル処理が適用されたことを示している。
【０１２７】
図８に戻り、ステップＳ５０１に続いて、データ形式が変更された画像データは、プリンタ２へ送信される（ステップＳ５０２）。そして、当該画像データを受信したプリンタ２において、受信した画像データに含まれる設定データに基づき、印刷文書の所定のページにステープル等が施される。
【０１２８】
図４に戻り、ステップＳ１１０で印刷実行の指示がないと判断された場合には（ステップＳ１１０でＮＯ）、処理の終了が指示されたか否かが判断される（ステップＳ１１２）。具体的には、図１２に示すキャンセルボタン６３上にカーソル６１が存在する状態で、ボタンが押されたか否かが判断される。
【０１２９】
処理の終了が指示されたと判断された場合には（ステップＳ１１２でＹＥＳ）、図４に示す処理は終了する。
【０１３０】
処理の終了が指示されていないと判断された場合には（ステップＳ１１２でＮＯ）、ステップＳ１０５の処理に戻る。
【０１３１】
ステップＳ１１２でＮＯと判断された後、ステップＳ１０５からの処理が再開された場合には、画像データの所定のページに適用する処理機能が、新たに選択され得る。例えば、前回の処理で、画像データの１ページ目に適用する処理機能としてステープル処理機能が選択された後に、２回目の処理において、画像データの２ページ目に適用する処理機能としてステープル処理機能が新たに選択され得る。そして、この新たな選択がなされた後に、ステップＳ１１０で印刷の実行が指示された場合には、画像データを受信したプリンタ２で、印刷文書の１ページ目と２ページ目とにステープルが施されることとなる。
【０１３２】
次に、本実施形態における処理機能解除処理について、図９及び１０を用いて説明する。
【０１３３】
この処理機能解除処理は、図４に示す処理で実行された画像データのページへの処理機能の適用を、解除するための処理であり、実際には図４に示す処理内に組み込まれるものであるが、便宜のために単独で説明する。
【０１３４】
はじめに、操作画面上に表示された適用アイコン４２のうち、いずれかの適用アイコン４２上にカーソル６１がある状態でボタンが押されたか否かが判断される（ステップＳ６０１）。これは、図４に示すステップＳ１０８に対応するものである。
【０１３５】
いずれかの適用アイコン４２上にカーソル６１がある状態でボタンが押されていないと判断された場合には（ステップＳ６０１でＮＯ）、図９及び１０に示す処理機能解除処理は終了する。
【０１３６】
一方、いずれかの適用アイコン４２が押されたと判断された場合には（ステップＳ６０１でＹＥＳ）、ステップＳ６０１でカーソル６１下に存在する適用アイコン４２に関係付けられた処理機能が選択される（ステップＳ６０２）。このステップＳ６０２以降、ステップＳ６０４までの処理は、図７に示すステップＳ４０１からステップＳ４０３までの処理と同様であるので、説明を省略する。
【０１３７】
ステップＳ６０３で、ボタンが離されたと判断された場合には（ステップＳ６０３でＹＥＳ）、ステップＳ６０１でカーソル６１下に存在した適用アイコン４２と、同一の適用アイコン４２上にカーソル６１がある状態で所定時間内にボタンが押下されたか否かが判断される（ステップＳ６０５）。このように、同一の適用アイコン４２上にカーソル６１がある状態で所定時間内にボタンが押下される処理は、ダブルクリックと呼ばれるボタン操作に対応する。
【０１３８】
同一の適用アイコン４２上にカーソル６１がある状態で所定時間内にボタンが押下されていないと判断された場合には（ステップＳ６０５でＮＯ）、ステップＳ６０２で実行された処理機能の選択が解除されて（ステップＳ６０６）、図９及び１０に示す処理は終了する。
【０１３９】
一方、同一の適用アイコン４２上にカーソル６１がある状態で所定時間内にボタンが押下されたと判断された場合には（ステップＳ６０５でＹＥＳ）、ステップＳ６０２で選択された処理機能のページへの適用を、解除する機能に関係付けられた解除アイコン４８が表示される（ステップＳ６０７）。
【０１４０】
図２３は、解除アイコン４８が表示された場合の操作画面の一例を示す図である。
【０１４１】
図は、適用アイコン４２ａがダブルクリックされた場合に表示される解除アイコン４８ａを示すものである。
【０１４２】
解除アイコン４８ａは、適用アイコン４２ａに関係付けられたステープル処理機能のページへの適用を解除する機能に関係付けられている。
【０１４３】
図９に戻り、ステップＳ６０７に続いて、ボタンが押されたか否かが判断される（図１０、ステップＳ６０８）。
【０１４４】
ボタンが押されていないと判断された場合には（ステップＳ６０８でＮＯ）、操作画面上でカーソル６１が移動される（ステップＳ６０９）。
【０１４５】
ボタンが押されたと判断された場合には（ステップＳ６０８でＹＥＳ）、カーソル６１の位置が解除アイコン４８上か否かが判断される（ステップＳ６１０）。
【０１４６】
カーソル６１の位置が解除アイコン４８上にないと判断された場合には（ステップＳ６１０でＮＯ）、ステップＳ６０２で実行された処理機能の選択が解除され（ステップＳ６１１）、さらに解除アイコン４８が削除されて（ステップＳ６２０）、図９及び１０に示す処理機能解除処理は終了する。
【０１４７】
カーソル６１の位置が解除アイコン４８上にあると判断された場合には（ステップＳ６１０でＹＥＳ）、ステップＳ６０２で選択された処理機能のページへの適用を解除する機能が選択される（ステップＳ６１２）。
【０１４８】
次に、ボタンが離されたか否かが判断される（ステップＳ６１３）。
【０１４９】
ボタンが離されていないと判断された場合には（ステップＳ６１３でＮＯ）、カーソル６１の移動に伴って、操作画面上で解除アイコン４８が移動される（ステップＳ６１４）。このステップＳ６１４の処理は、カーソル６１により解除アイコン４８をドラッグする処理に対応する。解除アイコン４８がドラッグされる状態は、図１８において適用アイコン４２がドラッグされる状態と同様であるので、図示を省略する。
【０１５０】
ボタンが離されたと判断された場合には（ステップＳ６１３でＹＥＳ）、カーソル６１の位置が、操作画面上に表示されたいずれかの文書アイコン４１上にあるか否かが判断される（ステップＳ６１５）。
【０１５１】
カーソル６１の位置が文書アイコン４１上にないと判断された場合には（ステップＳ６１５でＮＯ）、ステップＳ６０２で実行された処理機能の選択、およびステップＳ６１２で実行された処理機能のページへの適用を解除する機能の選択が、解除される（ステップＳ６１６）。次いで、上述したステップＳ６２０の処理に移行して、図９及び１０に示す処理機能解除処理は終了する。
【０１５２】
一方、カーソル６１の位置が文書アイコン４１上にあると判断された場合には（ステップＳ６１５でＹＥＳ）、カーソル６１下にある文書アイコン４１に関係付けられたページが選択される（ステップＳ６１７）。
【０１５３】
次いで、ステップＳ６１７で選択されたページに、ステップＳ６０２で選択された処理機能が適用されているか否かが判断される（ステップＳ６１８）。具体的には、図１９に示すハードディスクに保存された処理機能適用テーブルの所定の箇所に、「○」が付されているか否かが判断される。
【０１５４】
ステップＳ６１７で選択されたページに、ステップＳ６０２で選択された処理機能が適用されていないと判断された場合には（ステップＳ６１８でＮＯ）、上述したステップＳ６１６及びステップＳ６２０の処理に移行する。
【０１５５】
一方、ステップＳ６１７で選択されたページに、ステップＳ６０２で選択された処理機能が適用されていると判断された場合には（ステップＳ６１８でＹＥＳ）、ステップＳ６１７で選択されたページから、ステップＳ６０２で選択された処理機能の適用が解除される（ステップＳ６１９）。具体的には、処理機能適用テーブルの所定の箇所に付されている記号「○」が削除されて、記号「○」が削除された処理機能適用テーブルがハードディスク１４に上書き保存される。
【０１５６】
図２４は、カーソル６１の位置が、文書アイコン４１上にある場合の操作画面の一例を示す図である。
【０１５７】
図２４は、図２３に示した解除アイコン４８ａがカーソル６１によりドラッグされた後、カーソル６１の位置が文書アイコン４１ａ上にある場合を示している。この場合、ステップＳ６１９において、文書アイコン４１ａが関係付けられている画像データの１ページ目から、ステープル処理の適用が解除される。
【０１５８】
図１０に戻り、ステップＳ６１９の処理が終了した後は、ステップＳ６２０の処理に移行し、図９及び１０に示す処理機能解除処理は終了する。
【０１５９】
次に、本実施形態におけるカスタマイズ処理について、図１１を用いて説明する。
【０１６０】
本実施形態では、操作画面上に表示され得る適用アイコンは、ステップＳ１０３で表示される適用アイコンに限られず、利用者の操作に基づいて、２つの処理機能に関係付けられた適用アイコンが新たに表示され得る。例えば、ステープル処理機能とパンチ孔処理機能とのいずれの処理機能にも関係付けられた適用アイコンが操作画面上に表示され得る。カスタマイズ処理は、このような２つの処理機能に関係付けられた適用アイコンを、操作画面上に表示させるための処理である。
【０１６１】
なお、カスタマイズ処理は、実際には図４に示す処理に組み込まれるものであるが、便宜のために単独で説明する。
【０１６２】
はじめに、操作画面上に表示された適用アイコン４２のうち、いずれかの適用アイコン４２上にカーソル６１がある状態でボタンが押されたか否かが判断される（ステップＳ７０１）。この処理は、図４に示すステップＳ１０８に対応するものである。
【０１６３】
適用アイコン４２上にカーソル６１がある状態でボタンが押されていないと判断された場合には（ステップＳ７０１でＮＯ）、図１１に示すカスタマイズ処理は終了する。
【０１６４】
一方、適用アイコン４２上にカーソル６１がある状態でボタンが押されていないと判断された場合には（ステップＳ７０１でＹＥＳ）、ステップＳ７０２の処理に移行するが、ステップＳ７０２からステップＳ７０４までの処理は、図７に示すステップＳ４０１からステップＳ４０３までの処理と同様であるので、説明を省略する。
【０１６５】
ステップＳ７０３でボタンが離されたと判断された場合には（ステップＳ７０３でＹＥＳ）、ステップＳ７０１でカーソル６１下に存在した適用アイコン４２以外の適用アイコン４２（以下、他の適用アイコン４２）上に、カーソル６１が存在する状態で、ボタンが離されたか否かが判断される（ステップＳ７０５）。
【０１６６】
他の適用アイコン４２上にカーソル６１がある状態でボタンが離されていないと判断された場合には（ステップＳ７０５でＮＯ）、ステップＳ７０２で実行された処理機能の選択が解除されて（ステップＳ７０６）、図１１に示すカスタマイズ処理は終了する。
【０１６７】
一方、他の適用アイコン４２上にカーソル６１がある状態でボタンが離されたと判断された場合には（ステップＳ７０５でＹＥＳ）、ステップＳ７０５でカーソル６１下に存在する他の適用アイコン４２に関係付けられた処理機能が選択される（ステップＳ７０７）。
【０１６８】
次に、操作画面上に新たに表示される適用アイコン４２の名前を入力するためのウィンドウ４７が、操作画面上に表示される（ステップＳ７０８）。
【０１６９】
図２５は、ステップＳ７０８で操作画面上に表示されるウィンドウ４７の一例を示す図である。
【０１７０】
操作画面上に表示されたウィンドウ４７には、新たに表示される適用アイコン４２の名前をテキスト入力するための入力ボックス４７ａと、入力した名前を確定するためのＯＫボタン４７ｂと、名前の入力をキャンセルするためのキャンセルボタン４７ｃとが含まれている。
【０１７１】
図１１に戻り、ステップＳ７０８に続き、入力ボックス４７ａに新たな適用アイコン４２の名前がテキスト入力されるとともに、ＯＫボタン４７ｂ上にカーソル６１がある状態で、ボタンが押されたか否かが判断される（ステップＳ７０９）。
【０１７２】
新たな適用アイコン４２の名前がテキスト入力され、ＯＫボタン４７ｂ上にカーソル６１がある状態でボタンが押されていないと判断された場合には（ステップＳ７０９でＮＯ）、キャンセルボタン４７ｃ上にカーソル６１がある状態で、ボタンが押されたか否かが判断される（ステップＳ７１０）。
【０１７３】
キャンセルボタン４７ｃ上にカーソル６１がある状態でボタンが押されたと判断された場合には（ステップＳ７１０でＹＥＳ）、ステップＳ７０２及び７０７で実行された処理機能の選択が解除されて（ステップＳ７１１）、図１１に示すカスタマイズ処理は終了する。
【０１７４】
一方、キャンセルボタン４７ｃ上にカーソル６１がある状態でボタンが押されていないと判断された場合には（ステップＳ７１０でＮＯ）、ステップＳ７０９の処理に戻る。
【０１７５】
一方、ステップＳ７０９で適用アイコン４２の名前がテキスト入力され、ＯＫボタン４７ｂが押されたと判断された場合には（ステップＳ７０９でＹＥＳ）、ステップＳ７０２及び７０７で選択された処理機能とのいずれにも関係付けられた適用アイコン４２が操作画面上に表示され（ステップＳ７１２）、図１１に示すカスタマイズ処理は終了する。
【０１７６】
図２６は、カスタマイズ処理により新たな適用アイコン４２が表示された操作画面の一例を示す図である。
【０１７７】
図において、ステープル処理機能とパンチ孔処理機能とのいずれにも関係付けられた適用アイコン４２ａｂが操作画面上に表示されている。適用アイコン４２ａｂの下部には、ステップＳ７０９の処理において、入力ボックス４７ａから入力された適用アイコン４２ａｂの名前「ステープルパンチ」が表示されている。
【０１７８】
このカスタマイズ処理によって操作画面上に表示された適用アイコン４２は、ステップＳ１０３で表示される適用アイコン４２と同様に、画像データのページに処理機能を適用するために使用され得る。
【０１７９】
以上、本発明によれば、視覚的に認識可能な文書アイコン４１が指定されることによって、処理機能を適用するページの選択が実行される。これにより、処理機能を適用するページの選択に要する作業を、時間や手間を要せず容易に実行することができる。また、テキスト入力の必要がないため誤入力の問題が生ぜず、処理機能を適用するページの選択に要する作業を、確実に実行することができる。
【０１８０】
また、複数のページに関係付けられた文書アイコン４１が表示された場合、当該複数のページのいずれかのページにのみ関係付けられた分割アイコン４６を操作画面上に表示させることが出来る。このため、当該文書アイコン４１が関係付けられた複数のページのうち、いずれかのページのみに処理機能を適用することが可能となる。
【０１８１】
また、複数のページに関係付けられた文書アイコン４１が表示された場合、当該複数のページのそれぞれに関係付けられた分割アイコン４６が存在するように、複数の分割アイコン４６が表示される。このため、当該文書アイコン４１が関係付けられた複数のページのうち、所望のページを、処理機能が適用されるページとして選択することができる。
【０１８２】
また、文書アイコン４１又は分割アイコン４６は、当該文書アイコン４１又は分割アイコン４６に関係付けられたページ上の画像に対応するサムネイル画像を表示するために、利用者は、文書アイコン４１又は分割アイコン４６が画像データのいずれのページに関係付けられているかを、視覚的に認識することができる。このため、処理機能を適用するページを確実に選択することができる。
【０１８３】
また、処理機能の適用を解除するための解除アイコン４８が操作画面上に表示される。このため、例えば、利用者が、画像データの所定のページに適用する処理機能の選択を誤った場合でも、処理機能の適用の解除を容易に実行することができる。
【０１８４】
また、解除アイコン４８は、適用アイコン４２がダブルクリックされることにより操作画面上に表示される。これにより、解除アイコン４８を容易に操作画面上に表示させることが出来る。
【０１８５】
また、処理機能が画像データの所定のページに適用された場合、当該所定のページに関係付けられた文書アイコン４１は、処理機能が当該所定のページに適用されていることを示す画像を表示する。このため、利用者は、処理機能が適用されたページに関係付けられた文書アイコン４１を、視覚的に認識することができ、処理機能の適用の解除を容易に実行することができる。
【０１８６】
また、カスタマイズ処理によって２つの処理機能に関係付けられた適用アイコン４２が表示され得る。このため、２つの処理機能を画像データの所定のページに容易かつ同時に適用することが出来る。
【０１８７】
本発明は、上述した実施形態のみに限定されるものではなく、特許請求の範囲内において、種々改変することができる。
【０１８８】
例えば、画像データは、一つのアプリケーションによって作成された一つのファイルによって構成されてもよい。この場合、利用者が当該ファイルをディレクトリ操作により指定することによって（図４に示すステップＳ１０１に対応）、当該ファイルの所定のページに関係付けられた１又は複数の文書アイコン４１が、操作画面上に表示される。また、この場合において、各文書アイコン４１に関係付けられるページの数は、１又は複数、さらには利用者によって設定された数であり得る。
【０１８９】
また、カスタマイズ処理は、図１１に示すものに限られなず、例えば、カスタマイズアイコンを操作画面上に表示させ、複数の適用アイコン４２がカスタマイズアイコン上にドラッグ＆ドロップされることによって、複数の処理機能に関係付けられた新たな適用アイコン４２が表示されることとしてもよい。
【０１９０】
図２７は、カスタマイズアイコン４５が表示された操作画面の一例を示している。
【０１９１】
例えば、カスタマイズアイコン４５上に、適用アイコン４２ａと適用アイコン４２ｂとがドラッグ＆ドロップされた場合には、図２６に示す適用アイコン４２ａｂと同様に、ステープル処理機能とパンチ孔処理機能とのいずれにも関係付けられた適用アイコン４２が表示され、さらに、適用アイコン４２ａと適用アイコン４２ｂの他に、さらに適用アイコン４２ｃがカスタマイズアイコン４５上にドラッグ＆ドロップされた場合には、上述したステープル処理機能及びパンチ孔処理機能に加えて、Ｚ折りの紙折り処理機能に関係付けられた適用アイコン４２が表示される。このように、操作画面上にカスタマイズアイコンを表示させてカスタマイズ処理が実行される場合には、２以上の処理機能に関係付けられた適用アイコン４２を表示させ得る。
【０１９２】
また、上記実施形態においては、プリンタドライバを例に説明したが、本発明は、デジタル画像を画像表示媒体に表示するためのあらゆる画像表示プログラムに適用できる。
【０１９３】
また、上記画像表示プログラムは、たとえばフレキシブルディスクやＣＤ−ＲＯＭなどのコンピュータ読み取り可能な記録媒体によって提供されてもよいし、インターネット等のネットワークを介してオンラインで提供されてもよい。この場合、コンピュータ読み取り可能な記録媒体に記録されたが画像表示プログラムは、通常、ハードディスク等の記憶部に転送されて記憶される。また、上記画像表示プログラムは、単独のアプリケーションソフトとして提供されてもよいし、画像表示装置の一機能としてその装置のソフトウェアに組み込まれてもよい。
【図面の簡単な説明】
【０１９４】
【図１】本発明の実施形態にかかる画像処理システムの全体構成を示すブロック図である。
【図２】図１に示すＰＣの構成を示すブロック図である。
【図３】図１に示すプリンタの構成を示すブロック図である。
【図４】本実施形態におけるＰＣによる処理手順を示すフローチャートである。
【図５】分割アイコン表示処理の処理手順を示すフローチャートである。
【図６】第１処理機能適用処理の処理手順を示すフローチャートである。
【図７】第２処理機能適用処理の処理手順を示すフローチャートである。
【図８】印刷処理の処理手順を示すフローチャートである。
【図９】処理機能解除処理の処理手順を示すフローチャートである。
【図１０】図９に示す処理に続く処理の処理手順を示すフローチャートである。
【図１１】カスタマイズ処理の処理手順を示すフローチャートである。
【図１２】文書アイコン等が表示された操作画面の一例を示す。
【図１３】カーソルが文書アイコンに重なった状態の操作画面の一例を示す図である。
【図１４】文書アイコンがワークエリア内にドラッグされた場合の操作画面の一例を示す図である。
【図１５】分割アイコンがワークエリア内に表示された場合の操作画面の一例を示す図である。
【図１６】カーソルが適用アイコンに重なった場合の操作画面の一例を示す図である。
【図１７】適用アイコンがドラッグされた場合の操作画面の一例を示す図である。
【図１８】カーソルの位置が、ワークエリア内の分割アイコン上にある場合の操作画面の一例を示す図である。
【図１９】ハードディスクに保存された処理機能適用テーブルの一例を示す図である。
【図２０】分割アイコンの表示位置が変更された場合の操作画面の一例を示す図である。
【図２１】カーソルの位置が、文書アイコン上にある場合の操作画面の一例を示す図である。
【図２２】設定データの一例を示す図である。
【図２３】解除アイコンが表示された場合の操作画面の一例を示す図である。
【図２４】カーソルの位置が、文書アイコン上にある場合の操作画面の一例を示す図である。
【図２５】ステップＳ７０８で操作画面上に表示されるウィンドウの一例を示す図である。
【図２６】カスタマイズ処理により新たな適用アイコンが表示された操作画面の一例を示す図である。
【図２７】カスタマイズアイコンが表示された操作画面の一例を示している。
【符号の説明】
【０１９５】
１    ＰＣ、
２    プリンタ、
１１，２１  ＣＰＵ、
１２，２２  ＲＯＭ、
１３，２３  ＲＡＭ、
１４，２４  ハードディスク、
１５  ディスプレイ、
１６  入力装置、
１７，２７  ネットワークインタフェース、
１８，２８  バス、
２５  操作パネル部、
２６  印刷部、
３０  後処理装置、
３１  ステープル処理部、
３２  パンチ孔処理部、
３３  紙折り加工部。
【図１】
0004844208.tif 000002
【図２】
0004844208.tif 000003
【図３】
0004844208.tif 000004
【図４】
0004844208.tif 000005
【図５】
0004844208.tif 000006
【図６】
0004844208.tif 000007
【図７】
0004844208.tif 000008
【図８】
0004844208.tif 000009
【図９】
0004844208.tif 000010
【図１０】
0004844208.tif 000011
【図１１】
0004844208.tif 000012
【図１２】
0004844208.tif 000013
【図１３】
0004844208.tif 000014
【図１４】
0004844208.tif 000015
【図１５】
0004844208.tif 000016
【図１６】
0004844208.tif 000017
【図１７】
0004844208.tif 000018
【図１８】
0004844208.tif 000019
【図１９】
0004844208.tif 000020
【図２０】
0004844208.tif 000021
【図２１】
0004844208.tif 000022
【図２２】
0004844208.tif 000023
【図２３】
0004844208.tif 000024
【図２４】
0004844208.tif 000025
【図２５】
0004844208.tif 000026
【図２６】
0004844208.tif 000027
【図２７】
0004844208.tif 000028